(57)【要約】  電池式の装置とバッテリーを電気的に結合するコネクターが提供される。コネクターは第１の２重接点アセンブリー及び第２の２重接点アセンブリーを含む。各２重接点アセンブリーは、ＰＰ３バッテリーの正のＰＰ３端子に接触するための正のコンタクト、及びＰＰ３バッテリーの負のＰＰ３端子に接触するための負のコンタクトを含む。２重接点アセンブリーがいずれかのＰＰ３バッテリー端子と物理的に係合される場合に、２重接点アセンブリーのコンタクトのうちの一方がＰＰ３バッテリー端子と電気的に係合する一方、コンタクトの他方がＰＰ３バッテリー端子から電気的に絶縁されるように、各２重接点アセンブリーが構成される。従って、ＰＰ３バッテリーは、ＰＰ３バッテリーによって電力供給されるべき装置に対してコネクターを介して適切な電気接続が提供される、コネクターに関連する２つの有効な接続状態のうちのいずれかにおいて設置されてもよい。
2013508936.tif 000002
【特許請求の範囲】
【請求項１】
ＰＰ３バッテリーを電池式の装置と電気的に結合するコネクターであって、
前記ＰＰ３バッテリーの正のＰＰ３端子に接触するように構成された正のコンタクト及び前記ＰＰ３バッテリーの負のＰＰ３端子に接触するように構成された負のコンタクトを含む第１の２重接点アセンブリーと、
前記ＰＰ３バッテリーの前記正のＰＰ３端子に接触するように構成された正のコンタクト及び前記ＰＰ３バッテリーの前記負のＰＰ３端子に接触するように構成された負のコンタクトを含む第２の２重接点アセンブリーと
を備え、
前記２重接点アセンブリーが前記ＰＰ３バッテリーの前記正のＰＰ３端子と物理的に係合される場合に、前記２重接点アセンブリーの前記正のコンタクトが前記正のＰＰ３端子と電気的に係合する一方、前記負のコンタクトが前記正のＰＰ３端子から電気的に絶縁されるように、前記第１の２重接点アセンブリー及び前記第２の２重接点アセンブリーの各々が構成され、
前記２重接点アセンブリーが前記ＰＰ３バッテリーの前記負のＰＰ３端子と物理的に係合される場合に、前記２重接点アセンブリーの前記負のコンタクトが前記負のＰＰ３端子と電気的に係合する一方、前記正のコンタクトが前記負のＰＰ３端子から電気的に絶縁されるように、前記第１の２重接点アセンブリー及び前記第２の２重接点アセンブリーの各々が構成されるコネクター。
【請求項２】
前記第１の２重接点アセンブリー及び前記第２の２重接点アセンブリーの各々について、前記２重接点アセンブリーが前記ＰＰ３バッテリーの前記負のＰＰ３端子と物理的に係合される場合に、前記ＰＰ３バッテリーの前記負のＰＰ３端子が前記２重接点アセンブリーの前記負のコンタクトの内部で、及び少なくとも部分的に囲まれて受け入れられるように、前記２重接点アセンブリーの前記負のコンタクトが構成される請求項１に記載のコネクター。
【請求項３】
前記第１の２重接点アセンブリー及び前記第２の２重接点アセンブリーの各々について、前記２重接点アセンブリーの前記負のコンタクトは概して円筒状である請求項２に記載のコネクター。
【請求項４】
前記第１の２重接点アセンブリー及び前記第２の２重接点アセンブリーの各々について、前記２重接点アセンブリーの前記負のコンタクトは、前記ＰＰ３バッテリーの前記負のＰＰ３端子の外側部分との弾性的にバイアスされた係合を引き起こすように形成され、構成される請求項３に記載のコネクター。
【請求項５】
前記第１の２重接点アセンブリー及び前記第２の２重接点アセンブリーの各々について、前記２重接点アセンブリーが前記ＰＰ３バッテリーの前記正のＰＰ３端子と物理的に係合される場合に、前記２重接点アセンブリーの前記正のコンタクトが前記ＰＰ３バッテリーの前記正のＰＰ３端子の内部で、及び少なくとも部分的に囲まれて受け入れられるように、前記２重接点アセンブリーの前記正のコンタクトが構成される請求項１に記載のコネクター。
【請求項６】
前記第１の２重接点アセンブリー及び前記第２の２重接点アセンブリーの各々について、前記２重接点アセンブリーの前記正のコンタクトは概して円筒状である請求項５に記載のコネクター。
【請求項７】
前記第１の２重接点アセンブリー及び前記第２の２重接点アセンブリーの各々について、前記２重接点アセンブリーの前記正のコンタクトは、前記ＰＰ３バッテリーの前記正のＰＰ３端子の内側部分との弾性的にバイアスされた係合を引き起こすように形成され、構成される請求項６に記載のコネクター。
【請求項８】
前記第１の２重接点アセンブリー及び前記第２の２重接点アセンブリーの各々について、前記２重接点アセンブリーの前記負のコンタクトから前記２重接点アセンブリーの前記正のコンタクトを電気的に絶縁するための絶縁体をさらに備える請求項１に記載のコネクター。
【請求項９】
ＰＰ３バッテリーによって電力を供給されるように構成された装置であって、
前記装置が前記ＰＰ３バッテリーから電力を受け取り、前記装置の１つ又は複数の他のコンポーネントに分配する回路と、
前記回路に前記ＰＰ３バッテリーを電気的に結合するコネクターであって、第１の２重接点アセンブリー及び第２の２重接点アセンブリーを含み、第１の有効状態及び第２の有効状態のいずれかにおいて前記ＰＰ３バッテリーと係合することができ、前記第１の有効状態は前記第１の２重接点アセンブリーが前記ＰＰ３バッテリーの正のＰＰ３端子と物理的に係合されること及び前記第２の２重接点アセンブリーが前記ＰＰ３バッテリーの負のＰＰ３端子と物理的に係合されることによって定義され、前記第２の有効状態は前記第１の２重接点アセンブリーが前記ＰＰ３バッテリーの前記負のＰＰ３端子と物理的に係合されること及び前記第２の２重接点アセンブリーが前記ＰＰ３バッテリーの前記正のＰＰ３端子と物理的に係合されることによって定義され、
前記第１の２重接点アセンブリー及び前記第２の２重接点アセンブリーの各々について、前記２重接点アセンブリーは、前記回路の正の部分と電気的に結合される正のコンタクト及び前記回路の負の部分と電気的に結合される負のコンタクトを含み、前記正のコンタクト及び前記負のコンタクトは、前記２重接点アセンブリーが前記ＰＰ３バッテリーの前記正のＰＰ３端子と物理的に係合される場合に前記正のコンタクトが前記正のＰＰ３端子と電気的に結合される一方で前記負のコンタクトが前記正のＰＰ３端子から電気的に絶縁されるように構成され、前記２重接点アセンブリーの前記正のコンタクト及び前記負のコンタクトは、前記２重接点アセンブリーが前記ＰＰ３バッテリーの前記負のＰＰ３端子と物理的に係合される場合に前記負のコンタクトが前記負のＰＰ３端子と電気的に係合される一方で前記正のコンタクトが前記負のＰＰ３端子から電気的に絶縁されるように構成される装置。
【請求項１０】
前記第１の２重接点アセンブリー及び前記第２の２重接点アセンブリーの各々について、前記２重接点アセンブリーが前記ＰＰ３バッテリーの前記負のＰＰ３端子と物理的に係合される場合に、前記ＰＰ３バッテリーの前記負のＰＰ３端子が前記２重接点アセンブリーの前記負のコンタクトの内部で、及び少なくとも部分的に囲まれて受け入れられるように、前記２重接点アセンブリーの前記負のコンタクトが構成される請求項９に記載の装置。
【請求項１１】
前記第１の２重接点アセンブリー及び前記第２の２重接点アセンブリーの各々について、前記２重接点アセンブリーが前記ＰＰ３バッテリーの前記正のＰＰ３端子と物理的に係合される場合に、前記２重接点アセンブリーの前記正のコンタクトが前記ＰＰ３バッテリーの前記正のＰＰ３端子の内部で、及び少なくとも部分的に囲まれて受け入れられるように、前記２重接点アセンブリーの前記正のコンタクトが構成される請求項９に記載の装置。
【請求項１２】
前記第１の２重接点アセンブリー及び前記第２の２重接点アセンブリーの各々について、前記２重接点アセンブリーの前記負のコンタクトから前記２重接点アセンブリーの前記正のコンタクトを電気的に絶縁するための絶縁体をさらに備える請求項９に記載の装置。
【発明の詳細な説明】
【技術分野】
【０００１】
本発明は、多方向バッテリーコネクターに関する。
【背景技術】
【０００２】
[0001]バッテリーは電子装置に電力を提供するために一般に使用される。通常、バッテリーは、適切に電気回路を完成するために特定の方向に電池で動く装置内に配置される。例えば、いくつかのバッテリーは、バッテリーの一方の端部において正極を有し、バッテリーの他方の端部に負極を有し、バッテリー端子が装置の適切な接触を保証するように、バッテリーは適切に方向付けられなければならない。他のバッテリー構成は、互いに隣接して、又はバッテリーの対向する端部以外の相対的な場所／位置に正極及び負極を含む。
【発明の概要】
【発明が解決しようとする課題】
【０００３】
バッテリー及びその端子の特定の構成にかかわらず、装置内に又はバッテリーコネクターに関してバッテリーを不正確に方向付けることは、電池で動く装置を使用不可能にする不完全な回路を生むだけでなく、装置のコンポーネントに電気的な又は他の損傷をもたらし得る。
【課題を解決するための手段】
【０００４】
[0002]したがって、本明細書は、バッテリーを電池式の装置と電気的に結合するコネクターを提供する。当該コネクターは第１及び第２の２重接点（double contact）アセンブリーを含み、その各々は、ＰＰ３バッテリーの正のＰＰ３端子に接触するように構成された正のコンタクトとＰＰ３バッテリーの負のＰＰ３端子に接触するように構成された負のコンタクトとを含む。各２重接点アセンブリーは、２重接点アセンブリーがＰＰ３バッテリー端子のいずれかと物理的に係合される場合に、２重接点アセンブリーのコンタクトのうちの一方がＰＰ３バッテリー端子を電気的に係合する一方、２重接点アセンブリーのコンタクトの他方がＰＰ３バッテリー端子から電気的に絶縁されるように、構成される。したがって、ＰＰ３バッテリーは、ＰＰ３バッテリーによって電力が供給されるべき装置に対してコネクターを介して適切な電気接続が提供される、２つの有効な接続状態のいずれかにおいて、コネクターが取り付けられてもよい。
【０００５】
[0003]この概要は、詳細な説明において以下にさらに記載される概念のうちの選択されたものを単純化された形式で紹介するために提供される。この概要は、特許請求された主題の重要な特徴又は不可欠な特徴を特定するようには意図されず、特許請求された主題の範囲を限定するために使用されるようにも意図されない。さらに、特許請求された主題は、本開示のどの部分に記載されたいずれの又はすべての不利益を解決する実施例にも限定されない。
【図面の簡単な説明】
【０００６】
【図１】[0004]本明細書による、装置の回路にバッテリーを電気的に結合するコネクターを含むバッテリー及び電池式の装置を概略的に示す。
【図２】[0005]電池式の装置にバッテリーを電気的に結合するために使用され得るバッテリーコネクターの実施例についての分解図である。
【図３】電池式の装置にバッテリーを電気的に結合するために使用され得るバッテリーコネクターの実施例についての分解図である。
【図４】[0006]電池式の装置にバッテリーを電気的に結合するために使用され得るバッテリーコネクターの横断されたコンポーネントとともに示される、バッテリーの平面図である。
【発明を実施するための形態】
【０００７】
[0007]本開示は、電池式の装置にバッテリーを電気的に結合するコネクターに関連する。様々な例に関して記載されるように、コネクターは、バッテリーの特定の取り付けられた方向にかかわらず有効な動作を可能にするように構成することができる。多くの場合、バッテリーは、電池式の装置に接続されるべき２つの端子（正及び負）を有する。通常、一対の結合器又は接点が接続を容易にするために提供され、したがって、２つの異なる方向のうちの１つにおいて装置／コネクターに対してバッテリーを物理的に方向付ける可能性を示す。本明細書に記載されたコネクターの例は、バッテリーがいずれかの方向で有効に接続されることを可能にする。具体的には、いずれかの方向において、装置の動作を可能にし、１つの有効な方向のみを許可する従来技術のコネクターにおいて生じ得る電気的な／機械的な損傷を回避するために、適切な電気接続が確立される。
【０００８】
[0008]いくつかの従来の解決策においては、ユーザーは、装置上の対応する極性に特有のコンタクト（つまり、正及び負）に正極及び負極を適切に整列させるように注意して、特定の方向にバッテリーを挿入しなければならない。そのような以前の解決策は時折適切なバッテリー方向を示す図又は指示を伴うが、照明が暗い場所などの視界に障害が生じていたり、高齢のユーザーの場合などの条件の下でそのような指示を見ることは困難である。さらに、そのような指示は幼い子どもが従うことが難しい。さらに、バッテリーをすぐに使い果たす装置においてバッテリーが交換されるたびにそのような図に従うと不必要に時間を浪費することになり、そのようなバッテリー交換はユーザーにとって苛立たしいものとなり得る。上述のように、そのような従来の解決策においてバッテリーを不正確に方向付けることは、電気回路を不完全にするだけでなく、さらに装置の他の電子コンポーネントを破損することにもなる。したがって、以下により詳細に記載されるように、本開示のバッテリーコネクターは、いずれかの方向でバッテリーを有効に受け入れるように構成された２重接触アセンブリーを含む。
【０００９】
[0009]本明細書におけるいくつかの例は９ボルトのバッテリーとしても知られるＰＰ３バッテリーのコンテキストにおいて説明される。このバッテリー構成では、バッテリーの本体は丸みを帯びた直角プリズムとして形作られ、正極及び負極はバッテリーの本体／パッケージの端部表面上で互いに隣り合うように設けられる。負のＰＰ３端子は比較的より大きく、しばしば一般的な円筒状の形で提供される。より具体的には、負のＰＰ３端子は、バッテリーコネクター上の対応する構造へと折ることができる、六角形又は八角形の形状で形成されてもよい。正のＰＰ３端子は比較的より小さく、通常、概して円筒状であるが、より具体的には円筒の形状（つまり、通常、六角形／八角形の特徴がない）として形成される。正のＰＰ３端子はまた、通常、バッテリーコネクター上の対応する構造へと折られるか又は同様に接続される。
【００１０】
[0010]ここでの例は上述のようなＰＰ３バッテリーにしばしば注目しているが、本願の議論が、円筒状バッテリー、コイン型バッテリー及び／又は他のフォームファクター及び構成のバッテリーを含む、他のバッテリー及び端子構成に大いに適用可能であることが認識される。
【００１１】
[0011]図１は、バッテリーによって動力が電気的に提供され得るＰＰ３バッテリー１０及び装置１２を概略的に描く。装置１２は、装置が電力を受け取り、バッテリーから装置の他のコンポーネントへ電力を分配する回路１４を含む。また、装置１２の回路１４にバッテリー１０を電気的に結合するコネクター１６が描かれる。コネクター１６は、通常、第１の２重接点アセンブリー１８及び第２の２重接点アセンブリー２０を含む。他の図に関してさらに詳細に説明されるように、２重接点アセンブリーの各々は、回路１４の正の部分２２に電気的に結合される正のコンタクト、及び回路１４の負の部分２４に電気的に結合される負のコンタクトを含む。回路に対するこれらのコンタクトの接続は、それぞれ正及び負である、接続２６及び２８として図１に概略的に示される。
【００１２】
[0012]コネクター１６は、第１の有効状態及び第２の有効状態のいずれかにおいてＰＰ３バッテリー１０と係合されてもよい。第１の有効状態は、バッテリー１０の実線表現によって示され、バッテリー１０の負のＰＰ３端子３０と物理的に係合される第１の２重接点アセンブリー１８及びバッテリー１０の正のＰＰ３端子３２と物理的に係合される第２の２重接点アセンブリー２０によって定義される。第２の有効状態は、バッテリー１０の点線表現によって示され、バッテリー１０の正のＰＰ３端子３２と物理的に係合される第１の２重接点アセンブリー１８及びバッテリー１０の負のＰＰ３端子３０と物理的に係合される第２の２重接点アセンブリー２０によって定義される。
【００１３】
[0013]図１に示される第１及び第２の有効状態のいずれかにおいて、適切な電気接続がＰＰ３バッテリーと回路１４との間で確立される。したがって、いずれの状態でも、適切な電力が装置１２に提供され、当該構成は、無効な方向にバッテリーを設置することの結果として従来技術のシステムで生じ得る潜在的な損傷を回避する。
【００１４】
[0014]典型的な実施例において、適切な電気接続は、２重接点アセンブリーとＰＰ３バッテリー端子との間で生じる係合の結果として確立される。特に、各２重接点アセンブリーは、正のＰＰ３バッテリー端子と物理的に係合される場合に、２重接点アセンブリーの正のコンタクトが正のＰＰ３端子と電気的に係合する一方、２重接点アセンブリーの負のコンタクトが正のＰＰ３端子から電気的に絶縁されるように、構成される。反対に、しかし同様に、２重接点アセンブリーが負のＰＰ３バッテリー端子と係合される場合には、２重接点アセンブリーの正のコンタクトが負のＰＰ３端子から電気的に絶縁される一方、２重接点アセンブリーの負のコンタクトが負のＰＰ３端子と電気的に係合する。
【００１５】
[0015]図２は、装置にバッテリー１０を電気的に結合するコネクター４０のさらなる実施例による、ＰＰ３バッテリー１０を描く。コネクター４０のコンポーネントは明瞭さのために分解図で示される。コネクター４０は、正のＰＰ３バッテリー端子に接触するための正のコンタクト４４及び負のＰＰ３バッテリー端子に接触するための負のコンタクト４６を含む、第１の２重接点アセンブリー４２を含む。コネクターはまた、正のＰＰ３バッテリー端子に接触するための正のコンタクト５４及び負のＰＰ３バッテリー端子に接触するための負のコンタクト５６を含む、第２の２重接点アセンブリー５２を含む。以前に説明されたように、２つの有効な接続状態が許され、そこでは、いずれかのＰＰ３端子がいずれかの２重接点アセンブリーに有効に電気的に接続することができる。状態／方向のうちの１つ−つまり、端子３２が２重接点アセンブリー５２と整列されて係合され、端子３０が２重接点アセンブリー４２と整列されて係合される方向のみが図２に示される。
【００１６】
[0016]コンタクト４４、４６、５４及び５６が基底構造６０に取り付けられてもよく、それはまた、プリント回路基板（ＰＣＢ）又は他の接続機構を含んでもよい。具体的には、正のコンタクト４４及び５４は、通常、一緒に、及び／又は電力が供給されるべき装置上の正の回路接続（例えば、図１の回路１４の正の部分２２）に接続される。同様に、負のコンタクト４６及び５６は、通常、一緒に、及び／又は電力が供給される装置の負の回路接続（例えば、図１の回路１４の負の部分２４）に接続される。また、絶縁体構造６２及び６４が、個々の負のコンタクトから個々の正のコンタクトを絶縁し及び／又は負のコンタクトに関して同軸配置又は他の所望の方向に正のコンタクトを保持するために設けられてもよい。絶縁体構造に加えて、又はその代わりに、コンタクトは、単に間隔を置いた方向に保持されてもよい。
【００１７】
[0017]コンタクト４４、４６、５４及び５６は、概して円筒状であってもよいし、及び／又は、そうでなければ、正及び負のＰＰ３バッテリー端子の概して円筒状の構造と物理的に係合するように構成されてもよい。例えば、負のコンタクト（つまり、コンタクト４６及び５６）は、負のＰＰ３端子３２の外径部分３２ａを受け入れ及び少なくとも部分的に囲むことにより、電気接続を作成するように構成されてもよい。また、負のコンタクトは、負のＰＰ３端子との弾力的にバイアスされた係合を提供するように、サイズを決められてもよいし、そうでなければ構成されてもよい。例えば、弾性の金属が負のコンタクトに使用されてもよい。さらに、示された例において、ノッチ部又はカットアウェー部が、負のＰＰ３端子が負のコンタクト内に受け入れられる場合に圧入（プレスばめ、press-fit）又は他の弾性係合を提供するように、負のコンタクトの弾性の変形を容易にするために使用されてもよい。
【００１８】
[0018]同様に、正のコンタクト（つまり、コンタクト４４及び５４）は、それらのうちの１つが正のＰＰ３バッテリー端子３０の内径部分３０ａによって内部で受け入れられ、少なくとも部分的に囲まれる場合に電気接続が作成されるように、構成されてもよい。負のコンタクトと同様に、正のコンタクトは、信頼できる電気接続を保証するように、正のＰＰ３端子との弾力的にバイアスされた係合を提供するように構成されてもよい。正のコンタクト４４及び５４に描かれるように、弾性の係合は、導体材料の選択によって、及びノッチ又はカットアウェーを提供することによって、容易にすることができる。図１に関して説明されるように、２重接点アセンブリー４２及び５２の各々は、２重接点アセンブリーが正のＰＰ３バッテリー端子と物理的に係合される場合に正のコンタクトが正のＰＰ３端子と電気的に係合する一方で負のコンタクトが正のＰＰ３端子から絶縁され、２重接点アセンブリーが負のＰＰ３バッテリー端子と物理的に係合される場合に正のコンタクトが負のＰＰ３から絶縁される一方で負のコンタクトが負のＰＰ３端子と電気的に係合するように、構成される。したがって、バッテリーがどの方向に配置されるかにかかわらず、適切な電気接続がバッテリーと装置との間に確立される。
【００１９】
[0019]図３は、装置にＰＰ３バッテリーを電気的に結合するコネクター８０の別の実施例を備えたＰＰ３バッテリー１０を描く。図２と同様に、コネクターとともに使用され得る様々なコンポーネントが分解図に示される。図３は多くの点で図２に類似している。１つの対照的な点は、正のコンタクト８２及び８４が、正の回路接続８６とともに、単一の導電性構造の一部として形成されるということである。同様に、負のコンタクト９２及び９４は、負の回路接続９６とともに、単一に形成される。絶縁体構造１０２及び１０４もまた、当該２つの導電性構造を互いに電気的に絶縁し、かつ互いに所望の相対的位置にそれらを保持するように設けられてもよい。特に、バッテリー１０と基底構造１１０との間の４つの構造は、一緒に積層構成に組み立てられてもよい。基底構造１１２とともに、基底構造１１０は、バッテリー及びコネクター構造を支持し、並びに／又は、電池式の装置のコンポーネントに対して電気接続及び物理接続を提供するために使用されてもよい。
【００２０】
[0020]先の例の２重接点アセンブリーの用語を使用すると、正のコンタクト８２及び負のコンタクト９２がコネクター８０の第１の２重接点アセンブリー１２２を定義する一方、第２の２重接点アセンブリー１２４は正のコンタクト８４及び負のコンタクト９４によって定義される。また先の例のように、有効な電気的係合は、いずれかの２重接点アセンブリー（１２２又は１２４）にバッテリー１０のいずれかのＰＰ３端子（３０又は３２）を接続することにより作成されてもよい。２重接点アセンブリーのうちの所与の１つが正のＰＰ３端子と係合される場合、その正のコンタクトは正のＰＰ３端子に接続され、その負のコンタクトは正のＰＰ３端子から絶縁される。他方、２重接点アセンブリーが負のＰＰ３端子と係合される場合、その負のコンタクトが負のＰＰ３端子と電気的に係合される一方、その正のコンタクトは負のＰＰ３端子から絶縁される。また、図２の実施例と同様に、コンタクトは、概して円筒状であってもよいし、及び／又は、そうでなければ、ＰＰ３バッテリー端子の概して円筒状の構造との弾力的にバイアスされた係合を作成するように構成されてもよい。バッテリーがどの方向に配置されるかにかかわらず、適切な導電性が正の回路接続８６及び負の回路接続９６を介して装置に提供される。これらの接続は、それぞれ、図１の接続２６及び２８にそれぞれ対応してもよい。
【００２１】
[0021]図４は、図３のコネクターの実施例の２重接点アセンブリーと係合されるそのＰＰ３端子とともに、バッテリー１０の平面図を示す。特に、２重接点アセンブリー１２２及び１２４の正及び負のコンタクトが断面図で示される。負のＰＰ３端子３２は、負のコンタクト９４の内部で及び少なくとも部分的に囲まれて受け入れられるものとして示される。以前に記載されたように、負のコンタクト９４は、端子の外径部又は壁部３２ａと電気的に接触し、当該電気的係合は、弾力的にバイアスされた係合によって維持することができる。図に示されるように、バイアスは、端子の外部壁領域に対して内側への方向に放射状に生じ得る。なお、負のコンタクト９４及び正のコンタクト８４の相対的位置は、正のコンタクト８４が負のＰＰ３バッテリー端子３２から間隔を空けて配置され、絶縁されることに帰着する。以前に説明されたように、間隔を空けること及び絶縁は、絶縁体構造１０２及び１０４（図４に示されない）によってもたらされてもよい。
【００２２】
[0022]続けて図４を参照すると、正のコンタクト８２は、正のＰＰ３端子３０の内径又は壁部３０ａの内部で及び少なくとも部分的にそれによって囲まれて受け入れられるものとして示される。以前に説明されたように、正のコンタクト８２は正のＰＰ３端子と電気的に接触し、当該電気接続は、端子の内壁との弾性的にバイアスされた係合によって、確立されて維持されてもよい。負のコンタクトと同様に、正のコンタクトの接続は、半径方向にバイアスすることによって、又は、正のバッテリー端子の内壁領域に対して当該接触を外側へ付勢することによって、維持されてもよい。正のコンタクト８２及び負のコンタクト９２の相対的な物理的な位置は、負のコンタクト９２が正のＰＰ３バッテリー端子３０から間隔を空けて配置され、絶縁されることに帰着する。図４に示されていないが、図２のコネクターの実施例が図４に示されるものと同様にしてバッテリーと係合することができることが理解されるべきである。
【００２３】
[0023]上記の例に加えて、又はその代わりに、２重接点アセンブリーの接触構造は、ワイヤー又はワイヤーのような構造から形成され及び／又はそれらによって相互接続されてもよい。例えば、ワイヤーコンタクトは、正のＰＰ３端子の内壁部と接触するために使用されてもよい。そのようなコンタクトは、バッテリー端子との電気的接触を保証するためにばねで維持されるか又は弾性的にバイアスされた接続を提供するように構成されてもよい。同様に、ワイヤー又はワイヤーのような構造から形成されるコンタクトは、負のＰＰ３端子の外側部分と係合するために使用されてもよい。使用されるとき、ワイヤータイプのコンタクトは、円筒の形状又は構成を含んでもよいし含まなくてもよく、当該コンタクトは、それぞれのバッテリー端子を部分的に囲むか又はそれらによって部分的に囲まれるように形成されてもよい。実際、様々なワイヤーコンタクトの構成を本明細書に記載されたバッテリーコネクターに関して使用することができることが認識されるべきである。
【００２４】
[0024]本明細書に記載された構成及び／又は手法は本来例示的なものであり、多くの変更が可能であるので、これらの特定の実施例又は例は限定的な意味で考慮されるべきでないことが理解されるべきである。本明細書に記載された特定のルーチン又は方法は、任意の数の処理戦略のうちの１つ又は複数を表してもよい。そのため、示された様々な動作は、示されたシーケンスにおいて、他のシーケンスにおいて、並列に、又はいくつかの場合には省略して実行されてもよい。同様に、上記の処理の順序は変更されてもよい。
【００２５】
[0025]本開示の主題は、本明細書に開示された、様々な処理、システム及び構成、他の特徴、機能、動作、並びに／又は特性の全ての新規で非自明な組み合わせ及びサブコンビネーションのほか、それらのすべての均等物を含む。
【図１】
2013508936.tif 000003
【図２】
2013508936.tif 000004
【図３】
2013508936.tif 000005
【図４】
2013508936.tif 000006
【国際調査報告】
2013508936.tif 000007
2013508936.tif 000008